(57)【要約】【課題】視認性が高く優れた注意喚起能力や安全性を有する自発光装置を提供する。【解決手段】プレート状の支持体と、太陽光エネルギーを電力に変換する太陽電池パネルと、前記太陽電池パネルで発電した電力を蓄える蓄電池と、前記蓄電池から電力が供給されることで発光する複数の有機ＥＬ照明体と、前記複数の有機ＥＬ照明体の発光を制御する制御部とを備えており、前記太陽電池パネル及び前記複数の有機ＥＬ照明体は、前記支持体の一方面上に配置されている自発光装置。【選択図】図１
2015076175.tif 000002
【特許請求の範囲】
【請求項１】
プレート状の支持体と、太陽光エネルギーを電力に変換する太陽電池パネルと、前記太陽電池パネルで発電した電力を蓄える蓄電池と、前記蓄電池から電力が供給されることで発光する複数の有機ＥＬ照明体と、前記複数の有機ＥＬ照明体の発光を制御する制御部とを備えており、
前記太陽電池パネル及び前記複数の有機ＥＬ照明体は、前記支持体の一方面上に配置されている自発光装置。
【請求項２】
前記各有機ＥＬ照明体は所定間隔を空けて配置されており、前記太陽電池パネルは前記各有機ＥＬ照明体間に配置されている請求項１に記載の自発光装置。
【請求項３】
前記各有機ＥＬ照明体及び前記太陽電池パネルは、平面視矩形状に形成されている請求項１又は２に記載の自発光装置。
【請求項４】
前記太陽電池パネルを複数備えており、前記太陽電池パネルと前記有機ＥＬ照明体とは、一方向に沿って互いに交互に配置されている請求項１から３のいずれかに記載の自発光装置。
【請求項５】
前記制御部は、周囲の照度を感知して前記蓄電池から前記各有機ＥＬ照明体への電力の供給を制御する光感知制御部を備える請求項１から４のいずれかに記載の自発光装置。
【請求項６】
前記制御部は、前記各有機ＥＬ照明体を点滅制御する点滅制御部を備える請求項１から５のいずれかに記載の自発光装置。
【請求項７】
前記支持体、前記太陽電池パネル、前記蓄電池、及び、前記有機ＥＬ照明体は、それぞれ可撓性を有し、装置全体が可撓性を有する請求項１から６のいずれかに記載の自発光装置。
【請求項８】
前記各有機ＥＬ照明体の発光ピーク波長は、５４０ｎｍ〜６００ｎｍである請求項１から７のいずれかに記載の自発光装置。
【請求項９】
注意喚起体として使用される請求項１から８のいずれかに記載の自発光装置。
【発明の詳細な説明】
【技術分野】
【０００１】
本発明は、自発光装置、特に、有機ＥＬ照明体と太陽電池パネルとを備える自発光装置に関する。
【背景技術】
【０００２】
従来、夜間において、自動車が道路沿いに設置された電柱と衝突して事故を起こすことや、歩行者が電柱と接触して怪我をすることを防止するための装置として、特許文献１に開示されている電柱標識板が知られている。
【０００３】
この特許文献１に開示されている電柱標識板は、図６に示すように、光を反射する反射部材１０１と、太陽光を電力に変換する太陽電池パネル１０２とを交互に配置して縞模様を形成するシート状の標識板本体１０３と、標識板本体１０３の裏面側に配置され、太陽電池パネルが発電した電力を蓄電する蓄電池（図示せず）と、標識板本体の下方側に配置され蓄電池により蓄電された電力により標識板本体よりも下方を照射する照射装置１０４とを備えている。
【０００４】
このような電柱標識板１００は、夜間走行中の自動車のヘッドライトの光が電柱標識板１０３を照射することにより、標識板本体１０３の反射部材１０１が自動車のヘッドライトの光を反射して、ドライバーに電柱Ｐの存在やその位置を認識させることができ、電柱Ｐとの接触事故を防止するというものである。また、電柱標識板１００よりも下方側を照射する照射装置１０４の作用により、歩行者に容易に電柱Ｐを認識させて注意を促すことによって電柱Ｐと接触して怪我をすることを抑制するというものである。
【先行技術文献】
【特許文献】
【０００５】
【特許文献１】特開２０１１−１１３７８２号公報
【発明の概要】
【発明が解決しようとする課題】
【０００６】
しかしながら、上述した電柱標識板は、標識板本体が有する反射部材によって反射された自動車のヘッドライトの光（反射光）をドライバーが視認することによって、ドライバーが標識板本体の存在及び電柱の存在を認識するものであり、標識板本体に対するヘッドライトの光の入射方向によっては、反射光がドライバーに届かないおそれがあり、ドライバーに対する注意喚起能力が不十分であるという問題があった。
【０００７】
また、この電柱標識板は、光を照射する照射装置を備えるものであるが、この照明装置は、電柱標識板よりも下方側を照射する装置であり、電柱表示板自体や電柱を照射するものではなく、自動車を運転するドライバーに対して、電柱の存在やその位置を正確に認識させる機能を有しているとは言い難いものである。また、この照射装置は、図６からも明らかなように、電柱の表面からその外方に大きく突出する構造を有しており、自動車や歩行者に接触する可能性があり、安全性に欠けるという問題もあった。
【０００８】
本発明は、かかる問題を解決すべくなされたものであって、視認性が高く優れた注意喚起能力や安全性を有する自発光装置の提供を目的とする。
【課題を解決するための手段】
【０００９】
本発明の上記目的は、プレート状の支持体と、太陽光エネルギーを電力に変換する太陽電池パネルと、前記太陽電池パネルで発電した電力を蓄える蓄電池と、前記蓄電池から電力が供給されることで発光する複数の有機ＥＬ照明体と、前記複数の有機ＥＬ照明体の発光を制御する制御部とを備えており、前記太陽電池パネル及び前記複数の有機ＥＬ照明体は、前記支持体の一方面上に配置されている自発光装置より達成される。
【００１０】
この自発光装置において、前記各有機ＥＬ照明体は所定間隔を空けて配置されており、前記太陽電池パネルは前記各有機ＥＬ照明体間に配置されていることが好ましい。
【００１１】
また、前記各有機ＥＬ照明体及び前記太陽電池パネルは、平面視矩形状に形成されていることが好ましい。
【００１２】
また、前記太陽電池パネルを複数備えており、前記太陽電池パネルと前記有機ＥＬ照明体とは、一方向に沿って互いに交互に配置されていることが好ましい。
【００１３】
また、前記制御部は、周囲の照度を感知して前記蓄電池から前記各有機ＥＬ照明体への電力の供給を制御する光感知制御部を備えることが好ましい。
【００１４】
また、前記制御部は、前記各有機ＥＬ照明体を点滅制御する点滅制御部を備えることが好ましい。
【００１５】
また、前記支持体、前記太陽電池パネル、前記蓄電池、及び、前記有機ＥＬ照明体は、それぞれ可撓性を有し、装置全体が可撓性を有することが好ましい。
【００１６】
また、前記各有機ＥＬ照明体の発光ピーク波長は、５４０ｎｍ〜６００ｎｍであることが好ましい。
【発明の効果】
【００１７】
本発明によれば、視認性が高く優れた注意喚起能力や安全性を有する自発光装置を提供することができる。
【図面の簡単な説明】
【００１８】
【図１】本発明の一実施形態に係る自発光装置の平面図である。
【図２】図１に示す自発光装置の概略構成断面図である。
【図３】図１に示す自発光装置の使用状態の一例を示す断面図である。
【図４】本発明に係る自発光装置の変形例を示す平面図である。
【図５】本発明に係る自発光装置の他の変形例を示す平面図である。
【図６】従来の電柱標識板を示す概略構成斜視図である。
【発明を実施するための形態】
【００１９】
以下、本発明の実施形態にかかる自発光装置について添付図面を参照して説明する。なお、各図は、構成の理解を容易ならしめるために部分的に拡大・縮小している。図１は、本発明の一実施形態に係る自発光装置１の平面図であり、図２は、図１のＡ−Ａ断面を示す自発光装置１の概略構成断面図である。本発明に係る自発光装置１は、例えば、電柱やガードレール、壁面等に、別途固定部材により固定されて使用される装置であり、自発光装置１が設置される周囲を通過・通行等する人や、当該自発光装置１を遠方から視認する人に対して、注意を促すことが可能な装置である。
【００２０】
この自発光装置１は、図１の平面図や図２の断面図に示すように、支持体２と、複数の太陽電池パネル３と、蓄電池４と、複数の有機ＥＬ照明体５とを備えている。支持体２は、平面視矩形状のプレート状体であり、例えば、ガラス板や、アルミニウム、銅、ステンレスといった金属板、ポリエチレン、ポリプロピレン、ポリスチレン、ポリカーボネート、ポリイミド、メタクリル樹脂、ポリエチレンテレフタレート、ポリエチレンナフタレート、シクロオレフィン樹脂といった樹脂、ブチルゴム、ウレタンゴム、シリコーンゴムといったゴムなどから形成された樹脂板から構成することができる。なお、支持体２を形成する材料としては、これらに限定されない。また、この支持体２は、可撓性を有するように構成されることが好ましいが、可撓性を有しない剛体として構成してもよい。
【００２１】
この支持体２の横方向長さ（図１における左右方向長さ）や、縦方向長さ（図１における上下方向長さ）、厚みは、自発光装置１が設置される場所や目的等によって適宜設定されるものであるが、例えば、電柱の外周面に設置される場合には、電柱外周面の約半周を覆うことが可能な長さに横方向長さを設定し、その横方向長さと同等、或いは、わずかに短い寸法として縦方向長さを設定する。
【００２２】
太陽電池パネル３は、太陽光エネルギーを電力に変換する機器であり、図１に示すように平面視矩形状のプレート状体として構成されている。この太陽電池パネル３は、支持体２の一方面上に配置されている。なお、太陽電池パネル３は、従来から知られている各種構造の物を使用することができるが、可撓性を有する構造に構成することが好ましい。
【００２３】
また、有機ＥＬ照明体５は、光を照射する面光源機器であり、図１に示すように、平面視矩形状のパネル体として構成されている。この有機ＥＬ照明体５も、太陽電池パネル３が設置されている支持体２の一方面上に配置されている。この有機ＥＬ照明体５も、従来から知られている各種構造の物を使用することができるが、可撓性を有する構造に構成することが好ましい。また、自発光装置１は、屋外で使用される場合もあることから、雨水対策として、有機ＥＬ照明体５は、防水構造を備えていることが好ましい。また、各有機ＥＬ照明体５の発光ピーク波長は、５４０ｎｍ〜６００ｎｍであることが好ましい。このような波長を発光ピーク波長に設定することにより、有機ＥＬ照明体５は黄色に発光し、自発光装置１を視認する者に対して効果的に注意を促すことが可能となる。
【００２４】
ここで、各有機ＥＬ照明体５は、図１に示すように、所定間隔を空けて配置されており、各有機ＥＬ照明体５の間に各太陽電池パネル３を配置することにより、太陽電池パネル３と有機ＥＬ照明体５とが、一方向（図１においては左右方向）に沿って互いに交互に配置され、太陽電池パネル３と有機ＥＬ照明体５とにより縞模様を形成するように構成されている。また、各太陽電池パネル３及び各有機ＥＬ照明体５の露出面は、図２の断面図に示すように、略面一となるように構成することが好ましい。
【００２５】
蓄電池４は、太陽電池パネル３で発電した電力を蓄える機器であり、各太陽電池パネル３に電気的に接続されている。蓄電池４としては、例えば、リチウムイオン電池、リチウムイオンポリマー電池、ニッケル水素電池などの電池を用いることができる。なお、蓄電池４の種類は、上述の電池に限定されない。また、蓄電池４は、各有機ＥＬ照明体５と電気的に接続しており、各有機ＥＬ照明体５は、蓄電池４から電力が供給されることで発光することができるように構成されている。この蓄電池４は、図２に示すように、支持体２の他方面上（有機ＥＬ照明体５や太陽電池パネル３が設置されている支持体２の面とは反対側の面上）に配置されている。蓄電池４の形態としては、プレート状体として形成し、可撓性を有するように構成することが好ましいが、このような構成に特に限定されるものではない。また、図２に示す自発光装置１の構成においては、蓄電池４を支持体２の他方面上に配置するように構成しているが、例えば、支持体２の一方面上の周縁部に配置するように構成してもよく、或いは、太陽電池パネル３と同等な形態（平面視矩形状）に形成して、一の太陽電池パネル３の代わりに、有機ＥＬ照明体５同士の間に配置するようにしてもよい。
【００２６】
また、本実施形態に係る自発光装置１は、複数の有機ＥＬ照明体５の発光を制御する制御部（図示せず）を備えている。この制御部は、周囲の照度を感知して蓄電池４から各有機ＥＬ照明体５への電力の供給を制御する光感知制御部と、各有機ＥＬ照明体５を点滅制御する点滅制御部とを備えている。光感知制御部は、例えば、受光照度を検知する光センサと、光センサの検知した受光照度の情報（信号）に基づいて蓄電池４からの各有機ＥＬ照明体５への電力供給を制御する電力供給指令部とを備えて構成されている。光センサは、太陽電池パネル３の発電や、有機ＥＬ照明体５の発光を妨げない位置、例えば、支持体２の一方面側の周縁部に配置されている。また、点滅制御部は、内部タイマーと、当該内部タイマーから得られる時間に関する情報（信号）に基づいて、各有機ＥＬ照明体５の点滅作動（各有機ＥＬ照明体５に対する電力供給のＯＮ／ＯＦＦ）を制御する点滅駆動部とを備えて構成されている。有機ＥＬ照明体５の点滅周期は、人の目で視認できる程度の周期であり、例えば、１００Hz以下とすることが好ましい。
【００２７】
次に、本実施形態に係る自発光装置１の作用について説明する。まず、例えば、電柱やガードレール、壁面等の所定位置に自発光装置１を別途固定部材等により固定する。自発光装置１の設置に際しては、蓄電池４が配置される面側が電柱等の表面に対向するようにし、太陽電池パネル３及び有機ＥＬ照明体５が配置されている面側が外側を向くようにして設置する。この自発光装置１に太陽光が照射されると、支持体２に配置される太陽電池パネル３が太陽光エネルギーを電力に変換する。そして、太陽電池パネル３によって発電された電力は、蓄電池４に出力され、当該蓄電池４において電力が蓄えられる。
【００２８】
自発光装置１が設置された電柱やガードレール等の周囲が暗くなり、制御部が有する光感知制御部の光センサが所定の明るさ（規定の照度以下であること）を感知すると、電力供給指令部の作用により、蓄電池４から各有機ＥＬ照明体５への電力供給がなされ、これにより各有機ＥＬ照明体５は発光することとなる。また、制御部が有する点滅制御部の作用により、各有機ＥＬ照明体５は、所定の時間間隔で点滅する。各有機ＥＬ照明体５により発せられる光によって、自発光装置１近傍エリアが明るく照らされる。
【００２９】
一方、自発光装置１が設置された電柱やガードレールの周囲が明るくなり、光センサが所定の明るさ（規定の照度以下であること）を感知しなくなると、電力供給指令部の作用により、蓄電池４から各有機ＥＬ照明体５への電力供給を解除する。これにより、自発光装置１における各有機ＥＬ照明体５の発光が終了する。
【００３０】
本実施形態に係る自発光装置１は、支持体２の一方面上に配置される太陽電池パネル３及び有機ＥＬ照明体５を備えており、また、太陽電池パネル３が発電した電力を蓄える蓄電池４を備えているため、昼間において蓄電した電力を用いて、夜間において、複数の有機ＥＬ照明体５を発光させることができる。また、支持体２の一方面上に所定間隔を空けて配置されている有機ＥＬ照明体５の間に配置される太陽電池パネル３部分は、発光しない部分（暗い部分）となるため、自発光装置１は、縞模様の発光面を有することとなり、自発光装置１を視認する者に対して、視認性に優れ、大きな注意喚起能力を発揮することとなる。
【００３１】
また、本実施形態に係る自発光装置１は、それ一方面が全体的に発光するように構成されているため、例えば、電柱の外周面に設置したような場合、図３の断面図において破線で示される設置位置近傍エリア全体を明るく照らして電柱Ｐの輪郭を浮き上がらせることが可能となり、換言すれば、電柱表面の一部分が発光しているように自動車を運転するドライバーや歩行者に認識させることができ、電柱Ｐの存在やその位置をより一層明確に認知させることが可能となる。その結果、電柱Ｐへの自動車の接触事故や、接触による歩行者の怪我を効果的に抑制することが可能となる。なお、図３における自発光装置１の断面図は、図１におけるＢ−Ｂ断面に相当する。
【００３２】
また、従来のように、自動車のヘッドライトの光を反射させることによりドライバーに対して注意喚起を促すものではなく、装置自体が面発光する光によってドライバーに対する注意喚起を促す構成であるため、自発光装置１が有する有機ＥＬ照明体５と直線で結ばれる領域に存在するドライバーに対して光を確実に届けることが可能であり、その結果、電柱等に設置された自発光装置１を視認させることが可能となる。つまり、本実施形態に係る自発光装置１は、それが設置される電柱やガードレール等の対象物の存在をより確実にドライバー等に認識させることが可能な注意喚起能力に優れた電柱標識板（注意喚起体）として使用することが可能となる。
【００３３】
また、本実施形態に係る自発光装置１において、支持体２、太陽電池パネル３、蓄電池４及び有機ＥＬ照明体５を可撓性構造により形成し、装置１自体が可撓性を有する構成とした場合、様々な面形状を有する対象物の表面に自発光装置１を設置することが容易となり、また、その対象物の表面形状を大きく損なわないようにできるため、自発光装置１自体が、例えば、通行の邪魔になり歩行者と接触し、怪我を負わせてしまうという事態の発生を確実に防止することが可能となる。
【００３４】
以上、本発明に係る自発光装置１について説明したが、具体的構成は、上記実施形態に限定されない。上記実施形態においては、図１の平面図に示すように、平面視矩形状に形成された太陽電池パネル３と有機ＥＬ照明体５とが、支持体２の横方向（幅方向）に沿って互いに交互に配置されるように構成しているが、例えば、図４の平面図に示すように、太陽電池パネル３と有機ＥＬ照明体５とが、同心円状に径方向に沿って互いに交互に配置されるように構成してもよい。
【００３５】
また、上記実施形態においては、複数の太陽電池パネル３を備える構成を有しているが、例えば、単一の平面視矩形状の太陽電池パネル３を備え、当該太陽電池パネル３の両側にそれぞれ平面視矩形状の有機ＥＬ照明体５を配置して、有機ＥＬ照明体５と太陽電池パネル３とにより縞模様を形成するように構成してもよい。
【００３６】
また、上記実施形態においては、太陽電池パネル３及び有機ＥＬ照明体５を平面視矩形状に形成しているが、このような構成に限定されず、それぞれ、平面視円形、平面視楕円形、平面視三角形等種々の形状となるように構成してもよい。
【００３７】
また、上記実施形態においては、制御部が、周囲の照度を感知して蓄電池４から各有機ＥＬ照明体５への電力の供給を制御する光感知制御部と、各有機ＥＬ照明体５を点滅制御する点滅制御部とを備えるように構成しているが、例えば、点滅制御部を備えないように構成し、各有機ＥＬ照明体５が、夜間において、常時点灯するように構成してもよい。また、制御部が、周囲の照度を感知して蓄電池４から各有機ＥＬ照明体５への電力の供給を制御する光感知制御部を備える代わりに、標準時刻電波を受信するためのアンテナ部と、当該アンテナ部が受信した標準時刻に基づいて蓄電池４からの各有機ＥＬ照明体５への電力供給を開始する時限電力供給指令部とを備えるように構成してもよい。
【００３８】
また、上記実施形態において、支持体２の一方面上に配置される複数の太陽電池パネル３や複数の有機ＥＬ照明体５を保護するために、図５の断面図に示すように、保護カバー６を支持体２の一方面側に設けるようにして構成してもよい。この保護カバー６は、透明な材料から形成されるプレート体であり、例えば、ポリエチレン、ポリプロピレン、ポリスチレン、ポリカーボネート、ポリイミド、メタクリル樹脂、ポリエチレンテレフタレート、ポリエチレンナフタレート、シクロオレフィン樹脂といった樹脂材料から形成されている。この保護カバー６も支持体２と同様に可撓性を有するように構成されることが好ましい。なお、保護カバー６は、支持体２の周縁部において枠状に設けられた接着部材７によって貼着され、支持体２、接着部材７及び保護カバー６によって形成される空間内に太陽電池パネル３や有機ＥＬ照明体５が気密状態で配置されることが好ましい。また、同様に、支持体２の他方面上に配置される蓄電池４を保護するための蓄電池保護用カバーを支持体２の他方面側に配置するようにして構成してもよい。なお、蓄電池保護用カバーも可撓性を有するように構成されることが好ましい。
【００３９】
また、上記実施形態においては、自発光装置１が、単一の蓄電池４を備え、複数の太陽電池パネル３と当該蓄電池４とが電気的に接続される構成を採用しているが、このような構成に特に限定されず、例えば、複数の蓄電池４を備え、各蓄電池４に各太陽電池パネル３及び各有機ＥＬ照明体５をそれぞれ電気的に接続し、各蓄電池４が、各太陽電池パネル３が発電した電力を個別に蓄電できるように、かつ、各有機ＥＬ照明体５に電力を供給できるように構成してもよい。
【符号の説明】
【００４０】
１  自発光装置
２  支持体
３  太陽電池パネル
４  蓄電池
５  有機ＥＬ照明体
６  保護カバー
７  接着部材
【図１】
2015076175.tif 000003
【図２】
2015076175.tif 000004
【図３】
2015076175.tif 000005
【図４】
2015076175.tif 000006
【図５】
2015076175.tif 000007
【図６】
2015076175.tif 000008